(57)【要約】【課題】要介護者又は要支援者により適した支援内容を選出して提示することができる情報処理方法、情報処理装置及び情報処理プログラムを提供する。【解決手段】情報処理方法は、コンピュータが、要介護者又は要支援者に関する基本情報に基づき、複数の支援内容から要介護者又は要支援者に応じた複数の第１の支援内容を決定し、複数の第１の支援内容と複数の第１の支援内容のそれぞれに対応付けられるアセスメント項目とをユーザに提示するための第１の提示情報を出力し、アセスメント項目に対してユーザにより入力されたアセスメント結果に基づき、複数の第１の支援内容の中から第２の支援内容を決定し、第２の支援内容をユーザに提示するための第２の提示情報を出力する。【選択図】図６
2020177627.tif 000002
【特許請求の範囲】
【請求項１】
コンピュータが、
要介護者又は要支援者に関する基本情報に基づき、複数の支援内容から前記要介護者又は前記要支援者に応じた複数の第１の支援内容を決定し、
前記複数の第１の支援内容と前記複数の第１の支援内容のそれぞれに対応付けられるアセスメント項目とをユーザに提示するための第１の提示情報を出力し、
前記アセスメント項目に対して前記ユーザにより入力されたアセスメント結果に基づき、前記複数の第１の支援内容の中から第２の支援内容を決定し、
前記第２の支援内容を前記ユーザに提示するための第２の提示情報を出力する、
情報処理方法。
【請求項２】
前記アセスメント結果は、前記要介護者又は前記要支援者の現在の状態と、前記要介護者又は前記要支援者の将来の状態とを含む、
請求項１記載の情報処理方法。
【請求項３】
前記第２の支援内容の決定は、前記アセスメント結果を数値化し、数値に基づき、前記複数の第１の支援内容の中から前記第２の支援内容を決定し、
前記ユーザが前記現在の状態をアセスメントできない場合の数値及び前記ユーザが前記将来の状態をアセスメントできない場合の数値は、前記ユーザが前記現在の状態をアセスメントできる場合の数値及び前記ユーザが前記将来の状態をアセスメントできる場合の数値よりも高い、
請求項２記載の情報処理方法。
【請求項４】
前記第２の支援内容の決定は、前記アセスメント結果を数値化し、数値に基づき、前記複数の第１の支援内容の中から前記第２の支援内容を決定する、
請求項１又は２記載の情報処理方法。
【請求項５】
さらに、前記第２の支援内容に基づき生成されたケアプランに基づくサービスが前記要介護者又は前記要支援者に実施された後、前記第２の支援内容と前記第２の支援内容に対応付けられるアセスメント項目とを前記ユーザに提示するための第３の提示情報を出力し、
さらに、前記アセスメント項目に対して前記ユーザにより入力されたアセスメント結果に基づき、前記第２の支援内容を評価し、
さらに、前記第２の支援内容の評価結果を前記ユーザに提示するための第４の提示情報を出力する、
請求項１〜４のいずれか１項に記載の情報処理方法。
【請求項６】
さらに、前記評価結果に基づき、前記第２の支援内容を提示する順番を変更する、
請求項５記載の情報処理方法。
【請求項７】
さらに、前記評価結果及び前記ケアプランに基づき、前記ケアプランを変更するか否かを判断する、
請求項５又は６記載の情報処理方法。
【請求項８】
さらに、センサ情報を取得し、
さらに、前記センサ情報を分析し、
前記第３の提示情報の出力は、前記センサ情報の分析結果を、前記第２の支援内容と前記第２の支援内容に対応付けられるアセスメント項目とともに、前記ユーザに提示するための前記第３の提示情報を出力する、
請求項５〜７のいずれか１項に記載の情報処理方法。
【請求項９】
さらに、前記基本情報及び前記アセスメント結果の少なくとも一方に基づき、前記センサ情報を取得するためのセンサを前記ユーザに提示するための第５の提示情報を出力する、
請求項８記載の情報処理方法。
【請求項１０】
要介護者又は要支援者に関する基本情報に基づき、複数の支援内容から前記要介護者又は前記要支援者に応じた複数の第１の支援内容を決定する第１の決定部と、
前記複数の第１の支援内容と前記複数の第１の支援内容のそれぞれに対応付けられるアセスメント項目とをユーザに提示するための第１の提示情報を出力する第１の出力部と、
前記アセスメント項目に対して前記ユーザにより入力されたアセスメント結果に基づき、前記複数の第１の支援内容の中から第２の支援内容を決定する第２の決定部と、
前記第２の支援内容を前記ユーザに提示するための第２の提示情報を出力する第２の出力部と、
を備える情報処理装置。
【請求項１１】
要介護者又は要支援者に関する基本情報に基づき、複数の支援内容から前記要介護者又は前記要支援者に応じた複数の第１の支援内容を決定し、
前記複数の第１の支援内容と前記複数の第１の支援内容のそれぞれに対応付けられるアセスメント項目とをユーザに提示するための第１の提示情報を出力し、
前記アセスメント項目に対して前記ユーザにより入力されたアセスメント結果に基づき、前記複数の第１の支援内容の中から第２の支援内容を決定し、
前記第２の支援内容を前記ユーザに提示するための第２の提示情報を出力するようにコンピュータを機能させる情報処理プログラム。
【発明の詳細な説明】
【技術分野】
【０００１】
本開示は、要介護者又は要支援者の支援内容をユーザに提示するための提示情報を出力する情報処理方法、情報処理装置及び情報処理プログラムに関するものである。
【背景技術】
【０００２】
近年、ケアマネジメントは、介護保険制度における介護サービス利用者のほぼ全てが利用している状況にある。利用者の心身の状況に応じた介護サービスの一体的提供と、利用者自身によるサービスの選択とを現場レベルで担保する仕組みとして、ケアマネジメントが導入されている。
【０００３】
居宅介護支援事業所、地域包括支援センター及び介護保険施設等には、介護保険制度におけるケアマネジメントを担う者として、介護支援専門員（ケアマネジャー）が配置されている。ケアマネジャーの業務は、主に以下の流れで行われる。
【０００４】
まず、ケアマネジャーは、要介護者又は要支援者と面接し、要介護者又は要支援者の状態をアセスメントする。次に、ケアマネジャーは、ケアプランの原案を作成する。そして、要介護者又は要支援者に対してケアプランに基づくサービスが提供される。その後、ケアマネジャーは、要介護者又は要支援者のモニタリングを行い、必要に応じてケアプランを変更する。
【０００５】
従来、アセスメント項目、アセスメント方法及び支援内容の決定においては、ケアマネジャーの経験又は実績に依存している。そのため、特に経験の浅いケアマネジャーは、必ずしも要介護者又は要支援者に適したケアプランを作成することができるとは限らない。
【０００６】
このような状況に対し、ケアプランを作成するケアマネジャーの経験や能力に係わらず、各被保険者の状態に応じた適切なケアプランの作成とメンテナンスを行うことが求められている。
【０００７】
そこで、例えば、特許文献１のケアプランの作成支援システムは、ユーザにより入力された各被保険者の共通項目データ及び追加情報と、選択された解決課題、介護上の目標及び介護サービスの内容とに基づいて、各被保険者のケアプラン全体をまとめた書類である居宅サービス計画書と、各被保険者のサービス利用票及びサービス提供票とを作成している。
【先行技術文献】
【特許文献】
【０００８】
【特許文献１】特開２００２−３０４４７０号公報
【発明の概要】
【発明が解決しようとする課題】
【０００９】
しかしながら、上記従来の技術では、要介護者又は要支援者に適した支援内容が提示されないおそれがあり、更なる改善が必要とされていた。
【００１０】
本開示は、上記の問題を解決するためになされたもので、要介護者又は要支援者により適した支援内容を選出して提示することができる情報処理方法、情報処理装置及び情報処理プログラムを提供することを目的とするものである。
【課題を解決するための手段】
【００１１】
本開示の一態様に係る情報処理方法は、コンピュータが、要介護者又は要支援者に関する基本情報に基づき、複数の支援内容から前記要介護者又は前記要支援者に応じた複数の第１の支援内容を決定し、前記複数の第１の支援内容と前記複数の第１の支援内容のそれぞれに対応付けられるアセスメント項目とをユーザに提示するための第１の提示情報を出力し、前記アセスメント項目に対して前記ユーザにより入力されたアセスメント結果に基づき、前記複数の第１の支援内容の中から第２の支援内容を決定し、前記第２の支援内容を前記ユーザに提示するための第２の提示情報を出力する。
【発明の効果】
【００１２】
本開示によれば、要介護者又は要支援者により適した支援内容を選出して提示することができる。
【図面の簡単な説明】
【００１３】
【図１】本開示の実施の形態１におけるケアマネジメント支援装置の構成を示すブロック図である。
【図２】本実施の形態１における基本グループデータベースに記憶されるテーブルの一例を示す図である。
【図３】本実施の形態１における支援内容データベースに記憶される基本支援内容テーブルの一例を示す図である。
【図４】本実施の形態１における支援内容データベースに記憶される疾患別支援内容テーブルの一例を示す図である。
【図５】本実施の形態１における点数データベースに記憶されるテーブルの一例を示す図である。
【図６】本開示の実施の形態１に係るケアマネジメント支援装置におけるケアマネジメント支援処理について説明するためのフローチャートである。
【図７】本実施の形態１において基本情報を入力するための基本情報入力画面の一例を示す図である。
【図８】本実施の形態１において複数の第１の支援内容を表示するための第１の支援内容表示画面の一例を示す図である。
【図９】本実施の形態１においてアセスメント項目を表示するとともに、アセスメント項目に対するアセスメント結果の入力を受け付けるためのアセスメント項目表示画面の一例を示す図である。
【図１０】本実施の形態１において第２の支援内容を表示するための第２の支援内容表示画面の一例を示す図である。
【図１１】本実施の形態１においてユーザによるアセスメントを評価したアセスメント評価画面の一例を示す図である。
【図１２】本開示の実施の形態１に係るケアマネジメント支援装置におけるモニタリング処理について説明するためのフローチャートである。
【図１３】本開示の実施の形態２におけるケアマネジメント支援装置の構成を示すブロック図である。
【図１４】本開示の実施の形態２に係るケアマネジメント支援装置におけるモニタリング処理について説明するためのフローチャートである。
【発明を実施するための形態】
【００１４】
（本開示の基礎となった知見）
例えば、特許文献１のケアプランの作成支援システムでは、先ず、各被保険者の担当ケアマネジャーにより、アセスメント入力画面から、各被保険者に対する訪問調査で取得した課題分析用のアセスメント項目のデータ（アセスメント・データ）が入力される。そして、入力された各被保険者のアセスメント・データに基づき、各被保険者についての問題となる可能性のある領域及び解決課題群が抽出され、領域検討画面上に問題となる可能性のある領域及び解決課題群についての警告表示が行われる。ケアマネジャーにより、領域検討画面上に警告表示された領域及び解決課題群が詳細に検討された上で、各被保険者についての具体的な解決課題を決定するために、警告表示された領域及び解決課題群に関する追加のアセスメント・データが選択入力される。解決課題についてのマスタ・データの中から該当の被保険者の状況に合致した問題となる可能性のある解決課題が抽出される。問題となる可能性のある解決課題が１つ以上抽出された場合には、ケアマネジャーにより、該当の被保険者の個別的な状況から見て最適な解決課題についての決定が行われる。
【００１５】
上記の従来技術では、問題となる可能性のある解決課題がどのようにして抽出されるのかが開示されておらず、適切な解決課題が抽出されないおそれがある。
【００１６】
また、アセスメント項目の数は多数あり、アセスメント項目の内容も幅広い。そのため、人手不足となっている介護の現場において、ケアマネジャーがすべての項目についてアセスメントする作業は、非常に時間のかかる作業である。
【００１７】
以上の課題を解決するために、本開示の一態様に係る情報処理方法は、コンピュータが、要介護者又は要支援者に関する基本情報に基づき、複数の支援内容から前記要介護者又は前記要支援者に応じた複数の第１の支援内容を決定し、前記複数の第１の支援内容と前記複数の第１の支援内容のそれぞれに対応付けられるアセスメント項目とをユーザに提示するための第１の提示情報を出力し、前記アセスメント項目に対して前記ユーザにより入力されたアセスメント結果に基づき、前記複数の第１の支援内容の中から第２の支援内容を決定し、前記第２の支援内容を前記ユーザに提示するための第２の提示情報を出力する。
【００１８】
この構成によれば、まず、要介護者又は要支援者に関する基本情報に基づき、複数の支援内容から要介護者又は要支援者に応じた複数の第１の支援内容が決定される。続いて、複数の第１の支援内容のそれぞれに対応付けられるアセスメント項目に対してユーザにより入力されたアセスメント結果に基づき、複数の第１の支援内容の中から第２の支援内容が決定される。
【００１９】
したがって、要介護者又は要支援者に関する基本情報に基づく支援内容のスクリーニングと、アセスメント項目に対してユーザにより入力されたアセスメント結果に基づく支援内容のスクリーニングとの２段階のスクリーニングが行われるので、要介護者又は要支援者により適した支援内容を選出して提示することができる。
【００２０】
また、上記の情報処理方法において、前記アセスメント結果は、前記要介護者又は前記要支援者の現在の状態と、前記要介護者又は前記要支援者の将来の状態とを含んでもよい。
【００２１】
この構成によれば、アセスメント結果は、要介護者又は要支援者の現在の状態だけでなく、要介護者又は前記要支援者の将来の状態を含むので、要介護者又は要支援者の将来の自立支援を考慮した第２の支援内容を決定することができる。
【００２２】
また、上記の情報処理方法において、前記第２の支援内容の決定は、前記アセスメント結果を数値化し、数値に基づき、前記複数の第１の支援内容の中から前記第２の支援内容を決定し、前記ユーザが前記現在の状態をアセスメントできない場合の数値及び前記ユーザが前記将来の状態をアセスメントできない場合の数値は、前記ユーザが前記現在の状態をアセスメントできる場合の数値及び前記ユーザが前記将来の状態をアセスメントできる場合の数値よりも高くてもよい。
【００２３】
この構成によれば、アセスメント結果が数値化され、数値に基づき、複数の第１の支援内容の中から第２の支援内容が決定される。そして、ユーザが現在の状態をアセスメントできない場合の数値及びユーザが将来の状態をアセスメントできない場合の数値は、ユーザが現在の状態をアセスメントできる場合の数値及びユーザが将来の状態をアセスメントできる場合の数値よりも高い。
【００２４】
したがって、ユーザが現在の状態をアセスメントできないアセスメント項目及びユーザが将来の状態をアセスメントできないアセスメント項目に対応する第２の支援内容を優先して決定することができ、情報が不足している支援内容を優先してユーザに提示することができる。
【００２５】
また、上記の情報処理方法において、前記第２の支援内容の決定は、前記アセスメント結果を数値化し、数値に基づき、前記複数の第１の支援内容の中から前記第２の支援内容を決定してもよい。
【００２６】
この構成によれば、アセスメント結果が数値化され、数値に基づき、複数の第１の支援内容の中から第２の支援内容が決定される。したがって、例えば、重要度の高いアセスメント結果に対しては、高い数値を付与することによって、複数の第１の支援内容の中から、アセスメント結果の数値が高い順に第１の支援内容を抽出し、抽出した第１の支援内容を第２の支援内容として決定することができる。
【００２７】
また、上記の情報処理方法において、さらに、前記第２の支援内容に基づき生成されたケアプランに基づくサービスが前記要介護者又は前記要支援者に実施された後、前記第２の支援内容と前記第２の支援内容に対応付けられるアセスメント項目とを前記ユーザに提示するための第３の提示情報を出力し、さらに、前記アセスメント項目に対して前記ユーザにより入力されたアセスメント結果に基づき、前記第２の支援内容を評価し、さらに、前記第２の支援内容の評価結果を前記ユーザに提示するための第４の提示情報を出力してもよい。
【００２８】
この構成によれば、第２の支援内容に基づき生成されたケアプランに基づくサービスが要介護者又は要支援者に実施された後、第２の支援内容と第２の支援内容に対応付けられるアセスメント項目とがユーザに提示され、アセスメント項目に対してユーザにより入力されたアセスメント結果に基づき、第２の支援内容が評価される。
【００２９】
したがって、第２の支援内容に対応付けられるアセスメント項目に対してユーザにより入力されたアセスメント結果に基づき、第２の支援内容が評価されるので、ユーザは、第２の支援内容の評価結果を確認することにより、第２の支援内容に基づき生成されたケアプランをモニタリングすることができる。
【００３０】
また、上記の情報処理方法において、さらに、前記評価結果に基づき、前記第２の支援内容を提示する順番を変更してもよい。
【００３１】
この構成によれば、評価結果に基づき、第２の支援内容を提示する順番が変更されるので、第２の支援内容に基づき生成されたケアプランに基づくサービスが要介護者又は要支援者に実施された結果、例えば、第２の支援内容の重要度が変化した場合、当該変化した重要度に応じて第２の支援内容を提示する順番を変更することができ、より重要度が高い第２の支援内容を優先して提示することができる。
【００３２】
また、上記の情報処理方法において、さらに、前記評価結果及び前記ケアプランに基づき、前記ケアプランを変更するか否かを判断してもよい。
【００３３】
この構成によれば、評価結果及びケアプランに基づき、ケアプランを変更するか否かが判断されるので、例えば、ケアプランの第２の支援内容に対応するサービスが、要介護者又は要支援者の状態の改善に寄与した場合、当該第２の支援内容に対応するサービスを継続又は中止したり、別のサービスに変更したりすることができる。
【００３４】
また、上記の情報処理方法において、ケアプランを中止又は変更した際に、中止又は変更したケアプランと過去のケアプランとを比較し、過去のケアプランから変更した部分の根拠を提示してもよい。特に、削減した支援内容の根拠を提示することが望ましい。これにより、要介護者、要支援者又はその家族などの納得が得やすくなる。
【００３５】
また、上記の情報処理方法において、モニタリング対象であるアセスメント項目が所定期間経過後に改善していた場合、ケアプランに応じたサービスを中止し、モニタリング対象であるアセスメント項目が所定期間経過後に悪化していた場合、ケアプランに応じたサービスを変更してもよい。このように、ケアプランに応じたサービスを中止するか否かの判断基準が設定されてもよい。
【００３６】
また、上記の情報処理方法において、さらに、センサ情報を取得し、さらに、前記センサ情報を分析し、前記第３の提示情報の出力は、前記センサ情報の分析結果を、前記第２の支援内容と前記第２の支援内容に対応付けられるアセスメント項目とともに、前記ユーザに提示するための前記第３の提示情報を出力してもよい。
【００３７】
この構成によれば、取得されたセンサ情報の分析結果が、第２の支援内容と第２の支援内容に対応付けられるアセスメント項目とともに、ユーザに提示されるので、ユーザは、センサ情報の分析結果を確認することによって、より正確にアセスメント項目に対する回答を入力することができる。
【００３８】
また、上記の情報処理方法において、さらに、前記基本情報及び前記アセスメント結果の少なくとも一方に基づき、前記センサ情報を取得するためのセンサを前記ユーザに提示するための第５の提示情報を出力してもよい。
【００３９】
この構成によれば、基本情報及びアセスメント結果の少なくとも一方に基づき、センサ情報を取得するためのセンサがユーザに提示されるので、要介護者又は要支援者の状態に応じたセンサをユーザに提示することができる。
【００４０】
本開示の他の態様に係る情報処理装置は、要介護者又は要支援者に関する基本情報に基づき、複数の支援内容から前記要介護者又は前記要支援者に応じた複数の第１の支援内容を決定する第１の決定部と、前記複数の第１の支援内容と前記複数の第１の支援内容のそれぞれに対応付けられるアセスメント項目とをユーザに提示するための第１の提示情報を出力する第１の出力部と、前記アセスメント項目に対して前記ユーザにより入力されたアセスメント結果に基づき、前記複数の第１の支援内容の中から第２の支援内容を決定する第２の決定部と、前記第２の支援内容を前記ユーザに提示するための第２の提示情報を出力する第２の出力部と、を備える。
【００４１】
この構成によれば、まず、要介護者又は要支援者に関する基本情報に基づき、複数の支援内容から要介護者又は要支援者に応じた複数の第１の支援内容が決定される。続いて、複数の第１の支援内容のそれぞれに対応付けられるアセスメント項目に対してユーザにより入力されたアセスメント結果に基づき、複数の第１の支援内容の中から第２の支援内容が決定される。
【００４２】
したがって、要介護者又は要支援者に関する基本情報に基づく支援内容のスクリーニングと、アセスメント項目に対してユーザにより入力されたアセスメント結果に基づく支援内容のスクリーニングとの２段階のスクリーニングが行われるので、要介護者又は要支援者により適した支援内容を選出して提示することができる。
【００４３】
本開示の他の態様に係る情報処理プログラムは、要介護者又は要支援者に関する基本情報に基づき、複数の支援内容から前記要介護者又は前記要支援者に応じた複数の第１の支援内容を決定し、前記複数の第１の支援内容と前記複数の第１の支援内容のそれぞれに対応付けられるアセスメント項目とをユーザに提示するための第１の提示情報を出力し、前記アセスメント項目に対して前記ユーザにより入力されたアセスメント結果に基づき、前記複数の第１の支援内容の中から第２の支援内容を決定し、前記第２の支援内容を前記ユーザに提示するための第２の提示情報を出力するようにコンピュータを機能させる。
【００４４】
この構成によれば、まず、要介護者又は要支援者に関する基本情報に基づき、複数の支援内容から要介護者又は要支援者に応じた複数の第１の支援内容が決定される。続いて、複数の第１の支援内容のそれぞれに対応付けられるアセスメント項目に対してユーザにより入力されたアセスメント結果に基づき、複数の第１の支援内容の中から第２の支援内容が決定される。
【００４５】
したがって、要介護者又は要支援者に関する基本情報に基づく支援内容のスクリーニングと、アセスメント項目に対してユーザにより入力されたアセスメント結果に基づく支援内容のスクリーニングとの２段階のスクリーニングが行われるので、要介護者又は要支援者により適した支援内容を選出して提示することができる。
【００４６】
以下添付図面を参照しながら、本開示の実施の形態について説明する。なお、以下の実施の形態は、本開示を具体化した一例であって、本開示の技術的範囲を限定するものではない。
【００４７】
（実施の形態１）
図１は、本開示の実施の形態１におけるケアマネジメント支援装置の構成を示すブロック図である。ケアマネジメント支援装置１は、例えば、パーソナルコンピュータ又はタブレット型コンピュータである。ケアマネジメント支援装置１は、入力部１１、プロセッサ１２、メモリ１３及び表示部１４を備える。
【００４８】
入力部１１は、例えば、マウス、キーボード又はタッチパネル等であり、ユーザの入力操作を受け付ける。本実施の形態におけるユーザは、例えば、ケアマネジャーである。
【００４９】
入力部１１は、要介護者又は要支援者に関する基本情報のユーザによる入力を受け付ける。基本情報は、例えば、要介護者又は要支援者の氏名、年齢、居住状態、認知機能の低下の有無、及び疾患情報を含む。居住状態は、要介護者又は要支援者が独居であるか否かを示す。疾患情報は、要介護者又は要支援者が現在患っている疾患、及び／又は要介護者又は要支援者が過去に患っていた疾患を示す。
【００５０】
なお、本実施の形態１における疾患は、例えば、要介護者が要介護となった原因疾患又は要支援者が要支援となった原因疾患を示す。疾患としては、例えば、要介護認定の原因疾患の最上位である脳血管疾患、及び適切な支援が提供されることによって改善の可能性が高い大腿骨頸部骨折である。なお、疾患情報は、上記の脳血管疾患及び大腿骨頸部骨折に限定されず、心不全及び腎不全などの他の疾患であってもよい。
【００５１】
また、基本情報は、上記に限定されず、要介護者が要介護の介護保険などの被保険者情報、及び介護者の有無を示す介護力情報などの他の情報を含んでもよい。
【００５２】
表示部１４は、例えば、液晶表示装置であり、種々の情報を表示する。
【００５３】
メモリ１３は、例えば、ＨＤＤ（ハードディスクドライブ）、ＲＡＭ（ランダムアクセスメモリ）又は半導体メモリなどの補助記憶装置によって実装される。メモリ１３は、基本グループデータベース１３１、支援内容データベース１３２及び点数データベース１３３を備える。
【００５４】
プロセッサ１２は、第１の支援内容決定部１２１、第１の支援内容表示制御部１２２、第２の支援内容決定部１２３、第２の支援内容表示制御部１２４、ケアプラン作成部１２５及びモニタリング処理部１２６を備える。
【００５５】
基本グループデータベース１３１は、複数のグループと、各グループに属するための条件とを対応付けたテーブルを記憶している。
【００５６】
図２は、本実施の形態１における基本グループデータベースに記憶されるテーブルの一例を示す図である。図２に示すように、基本グループデータベース１３１は、複数のグループと、年齢、居住状態及び認知機能の低下の有無とを対応付けたテーブルを記憶している。
【００５７】
例えば、年齢が７０歳以上であり、居住状態が独居であり、認知機能の低下がある要介護者又は要支援者は、第１のグループに分類される。また、例えば、年齢が７０歳以上であり、居住状態が独居であり、認知機能の低下が無い要介護者又は要支援者は、第２のグループに分類される。
【００５８】
なお、基本グループデータベース１３１は、介護者の有無を示す介護力情報などの他の情報をさらに複数のグループに対応付けてもよい。
【００５９】
支援内容データベース１３２は、複数の支援内容と、複数の支援内容のそれぞれに対する複数のグループそれぞれの重要度とを対応付けたテーブルを記憶している。複数の支援内容は、高齢者の機能及び生理に基づいた高齢者全般に共通する基本支援内容と、疾患毎に異なる疾患別支援内容とを含む。
【００６０】
図３は、本実施の形態１における支援内容データベースに記憶される基本支援内容テーブルの一例を示す図であり、図４は、本実施の形態１における支援内容データベースに記憶される疾患別支援内容テーブルの一例を示す図である。本実施の形態１において、複数のグループの重要度は、３段階に分類される。図３及び図４における黒丸の点は、最も重要度が高いことを示し、白丸の点は、２番目に重要度が高いことを示し、空欄は、最も重要度が低いことを示している。
【００６１】
なお、前記重要度は、３段階に限定されず、他の段階としてもよい。重要度は、例えば、３段階以上に分類されてもよく、その重要度に応じて表示部１４への表示方法が変更されてもよい。
【００６２】
図３に示す基本支援内容テーブル１３２１には、基本支援内容と、複数のグループそれぞれの重要度とが対応付けられている。図４に示す疾患別支援内容テーブル１３２２には、脳血管疾患に対応する疾患別支援内容と、複数のグループそれぞれの重要度とが対応付けられている。また、図４に示す疾患別支援内容テーブル１３２３には、大腿骨頸部骨折に対応する疾患別支援内容と、複数のグループそれぞれの重要度とが対応付けられている。
【００６３】
例えば、図３において、基本支援内容が「日常的に水分がとれるようにすることの支援」である場合、第１のグループ、第２のグループ及び第３のグループには最も高い重要度が設定されている。また、図４において、脳血管疾患に対応する疾患別支援内容が「疾患の理解を促す支援体制を整える」である場合、第１のグループ、第２のグループ及び第３のグループには最も低い重要度が設定されている。
【００６４】
なお、支援内容データベース１３２は、複数の支援内容のそれぞれに対応付けられるアセスメント項目を記憶している。また、支援内容データベース１３２は、複数の支援内容のそれぞれの必要性及び具体的な実施方法についての情報を記憶している。
【００６５】
第１の支援内容決定部１２１は、要介護者又は要支援者に関する基本情報に基づき、複数の支援内容から要介護者又は要支援者に応じた複数の第１の支援内容を決定する。第１の支援内容決定部１２１は、基本グループデータベース１３１を参照し、要介護者又は要支援者に関する基本情報に基づき、要介護者又は要支援者を複数のグループのうちのいずれかのグループに分類する。そして、第１の支援内容決定部１２１は、支援内容データベース１３２を参照し、複数の支援内容から、分類したグループに対応する重要度が高い複数の第１の支援内容を決定する。
【００６６】
第１の支援内容表示制御部１２２は、複数の第１の支援内容と複数の第１の支援内容のそれぞれに対応付けられるアセスメント項目とをユーザに提示するための第１の提示情報を出力する。第１の支援内容表示制御部１２２は、第１の提示情報を表示部１４へ出力する。アセスメント項目は、第１の支援内容に対して要介護者又は要支援者に確認すべき項目を示す。
【００６７】
表示部１４は、第１の支援内容表示制御部１２２から第１の提示情報が入力されると、複数の第１の支援内容と複数の第１の支援内容のそれぞれに対応付けられるアセスメント項目とを表示する。
【００６８】
入力部１１は、表示部１４に表示された複数の第１の支援内容に対応付けられるアセスメント項目に対するユーザによる入力を受け付ける。ユーザは、アセスメント項目のそれぞれについて要介護者又は要支援者に確認し、確認結果を入力部１１に入力する。なお、最も重要度が高い第１の支援内容に対応付けられるアセスメント項目については、ユーザによる入力を必須とし、２番目に重要度が高い第１の支援内容に対応付けられるアセスメント項目については、ユーザによる入力を任意としてもよい。
【００６９】
点数データベース１３３は、アセスメント項目に対するユーザの回答（アセスメント結果）と、点数とを対応付けたテーブルを記憶している。
【００７０】
図５は、本実施の形態１における点数データベースに記憶されるテーブルの一例を示す図である。
【００７１】
アセスメント結果は、要介護者又は要支援者の現在の状態と、要介護者又は要支援者の将来の状態とを含む。すなわち、入力部１１は、アセスメント項目に対して、要介護者又は要支援者の現在の状態と、要介護者又は要支援者の将来の状態との入力を受け付ける。
【００７２】
図５に示す点数データベース１３３は、現在の状態と将来の状態との組み合わせと、点数とを対応付けたテーブルを記憶している。例えば、図５において、現在の状態が「支障あり」であり、将来の状態が「改善する可能性がない」である場合、低い点数が対応付けられている。また、例えば、現在の状態が「支障あり」であり、将来の状態が「改善する可能性がある」である場合、低い点数と高い点数との中間の点数が対応付けられている。
【００７３】
なお、本実施の形態１において、点数データベース１３３は、要介護者又は要支援者の現在の状態と将来の状態との組み合わせに対して、低、中及び高の３段階の点数を対応付けているが、本開示は特にこれに限定されず、４段階以上の点数を対応付けてもよい。
【００７４】
本実施の形態１では、支援が必要であるアセスメント結果及び改善する可能性がないアセスメント結果には、支援が不要であるアセスメント結果及び改善する可能性があるアセスメント結果よりも高い点数が設定されている。
【００７５】
なお、ユーザが現在の状態をアセスメントできない場合の点数（数値）及びユーザが将来の状態をアセスメントできない場合の点数（数値）は、ユーザが現在の状態をアセスメントできる場合の点数（数値）及びユーザが将来の状態をアセスメントできる場合の点数（数値）よりも高い。すなわち、例えば、図５において、現在の状態が「情報がない／評価できない」であり、将来の状態が「情報がない／評価できない」である場合、高い点数が対応付けられている。アセスメント結果が得られない支援内容については、ケアプランに加えてモニタリングすることにより、将来必要であるか否かを再度判断することができる。
【００７６】
また、点数データベース１３３は、現在の状態及び将来の状態のそれぞれと、点数とを対応付けたテーブルを記憶してもよい。また、点数データベース１３３は、アセスメント項目毎に異なる点数をアセスメント結果に対応付けたテーブルを記憶してもよい。
【００７７】
また、アセスメント項目ごとに、現在の状態と将来の状態とのいずれかが表示／ユーザ入力されてもよい。
【００７８】
また、アセスメント項目のユーザによる入力は、他のシステム又は前回アセスメント時の自動入力であってもよい。
【００７９】
また、複数の同一アセスメントの入力が必要な際は、初回入力時の内容が自動的に入力されてもよい。
【００８０】
第２の支援内容決定部１２３は、アセスメント項目に対してユーザにより入力されたアセスメント結果に基づき、複数の第１の支援内容の中から第２の支援内容を決定する。第２の支援内容決定部１２３は、アセスメント結果を数値化し、数値に基づき、複数の第１の支援内容の中から第２の支援内容を決定する。すなわち、第２の支援内容決定部１２３は、点数データベース１３３を参照し、複数の第１の支援内容毎にアセスメント結果の点数を合計し、複数の第１の支援内容毎の合計点数を算出する。合計点数が高い支援内容ほど、重要な支援内容であり、今後のモニタリングが必要な支援内容と言える。第２の支援内容決定部１２３は、複数の第１の支援内容の中から、合計点数が高い順に所定数の第２の支援内容を決定する。例えば、第２の支援内容決定部１２３は、複数の第１の支援内容の中から、合計点数が上位の１０個の第２の支援内容を決定する。
【００８１】
また、第２の支援内容決定部１２３は、複数の第１の支援内容の中から、合計点数が閾値以上の第２の支援内容を決定してもよい。
【００８２】
第２の支援内容表示制御部１２４は、第２の支援内容をユーザに提示するための第２の提示情報を出力する。第２の支援内容表示制御部１２４は、第２の提示情報を表示部１４へ出力する。
【００８３】
表示部１４は、第２の支援内容表示制御部１２４から第２の提示情報が入力されると、第２の支援内容を表示する。
【００８４】
ケアプラン作成部１２５は、第２の支援内容決定部１２３によって決定された第２の支援内容に基づいて、要介護者又は要支援者のケアプランを自動的に作成する。なお、ケアプランは、第２の支援内容に対応付けられたサービスの種類、内容、利用回数及び時間を示す。
【００８５】
なお、本実施の形態１では、ケアプラン作成部１２５がケアプランを自動的に作成しているが、本開示は特にこれに限定されず、入力部１１は、表示部１４に表示される第２の支援内容に基づくユーザによるケアプランの作成を受け付けてもよい。また、入力部１１は、ケアプラン作成部１２５が自動的に作成したケアプランに対するユーザの修正を受け付けてもよい。
【００８６】
モニタリング処理部１２６は、支援内容評価部１５１、評価結果表示制御部１５２、データ変更部１５３及びケアプラン変更判断部１５４を備える。
【００８７】
支援内容評価部１５１は、第２の支援内容に基づき生成されたケアプランに基づくサービスが要介護者又は要支援者に実施された後、第２の支援内容と第２の支援内容に対応付けられるアセスメント項目とをユーザに提示するための第３の提示情報を出力する。支援内容評価部１５１は、第３の提示情報を表示部１４へ出力する。
【００８８】
表示部１４は、支援内容評価部１５１から第３の提示情報が入力されると、第２の支援内容と第２の支援内容に対応付けられるアセスメント項目とを表示する。入力部１１は、表示部１４に表示された第２の支援内容に対応付けられるアセスメント項目に対するユーザによる入力を受け付ける。
【００８９】
また、支援内容評価部１５１は、アセスメント項目に対してユーザにより入力されたアセスメント結果に基づき、第２の支援内容を評価する。支援内容評価部１５１は、アセスメント結果を数値化し、数値に基づき、第２の支援内容を評価する。すなわち、支援内容評価部１５１は、点数データベース１３３を参照し、第２の支援内容のアセスメント結果の点数を合計し、第２の支援内容の合計点数を評価結果として算出する。
【００９０】
評価結果表示制御部１５２は、第２の支援内容の評価結果をユーザに提示するための第４の提示情報を出力する。ここで、第２の支援内容の評価結果は、第２の支援内容のアセスメント結果の合計点数である。評価結果表示制御部１５２は、第４の提示情報を表示部１４へ出力する。
【００９１】
表示部１４は、評価結果表示制御部１５２から第４の提示情報が入力されると、第２の支援内容の評価結果を表示する。
【００９２】
データ変更部１５３は、評価結果に基づき、第２の支援内容を提示する順番を変更する。具体的には、データ変更部１５３は、「改善する可能性がある」というアセスメント結果が含まれ、評価結果の合計点数が他の第２の支援内容よりも低い第２の支援内容については、当該アセスメント結果に対応する点数データベース１３３の点数を現在よりも高くなるように変更する。これにより、「改善する可能性がある」というアセスメント結果が含まれ、評価結果の合計点数が他の第２の支援内容よりも低かった第２の支援内容の合計点数が高くなり、当該第２の支援内容を提示する順番が上位に変更される。
【００９３】
ケアプラン変更判断部１５４は、評価結果及びケアプランに基づき、ケアプランを変更するか否かを判断する。具体的には、ケアプランに応じたサービス実施により、要介護者又は要支援者の状態が改善した場合、ケアプランに応じたサービス実施後の第２の支援内容の合計点数が、ケアプランに応じたサービス実施前の第２の支援内容の合計点数よりも低下することになる。この場合、ケアプランの第２の支援内容に対応するサービスが、要介護者又は要支援者の状態の改善に寄与したとして、当該第２の支援内容に対応するサービスを中止したり、別のサービスに変更したりすることも可能である。そこで、ケアプラン変更判断部１５４は、ケアプランに応じたサービス実施後の第２の支援内容の合計点数が、ケアプランに応じたサービス実施前の第２の支援内容の合計点数よりも低下した場合、ケアプランの現在のサービス内容を変更すると判断する。なお、メモリ１３は、ケアプランに応じたサービス実施前の第２の支援内容の合計点数を記憶していることが好ましい。
【００９４】
また、ケアプランの第２の支援内容に対応するサービスが、要介護者又は要支援者の状態の改善に寄与している場合、当該第２の支援内容に対応するサービスを継続することも可能である。この場合、ケアプラン変更判断部１５４は、ケアプランに応じたサービス実施後の第２の支援内容の合計点数が、ケアプランに応じたサービス実施前の第２の支援内容の合計点数よりも低下した場合、ケアプランの現在のサービス内容を変更しないと判断してもよい。
【００９５】
また、ケアプランに応じたサービス実施により、要介護者又は要支援者の状態が悪化した場合、ケアプランに応じたサービス実施後の第２の支援内容の合計点数が、ケアプランに応じたサービス実施前の第２の支援内容の合計点数よりも上昇することになる。この場合、ケアプランの第２の支援内容に対応するサービスが、要介護者又は要支援者の状態の改善に寄与していないとして、当該第２の支援内容に対応するサービスを中止したり、別のサービスに変更したりすることも可能である。そこで、ケアプラン変更判断部１５４は、ケアプランに応じたサービス実施後の第２の支援内容の合計点数が、ケアプランに応じたサービス実施前の第２の支援内容の合計点数よりも上昇した場合も、ケアプランの現在のサービス内容を変更すると判断してもよい。
【００９６】
また、メモリ１３は、ケアプラン作成部１２５によって過去に作成されたケアプランを記憶するケアプランデータベースと、支援内容が追加された場合に当該支援内容が必要である理由を示す情報及び支援内容が削除された場合に当該支援内容が不要である理由を示す情報を記憶する支援必要性データベースとをさらに備えてもよい。
【００９７】
この場合、ケアプラン作成部１２５は、作成したケアプランと、ケアプランデータベースに記憶されている過去のケアプランとを比較してもよい。ケアプラン作成部１２５は、過去のケアプランから変更した部分の根拠を提示してもよい。すなわち、作成したケアプランに新たな支援内容が追加されている場合、ケアプラン作成部１２５は、支援必要性データベースに記憶されている新たな支援内容が必要である理由を示す情報を読み出し、新たな支援内容が必要である理由を示す情報を表示部１４に表示してもよい。また、作成したケアプランから過去の支援内容が削除されている場合、ケアプラン作成部１２５は、支援必要性データベースに記憶されている削除された支援内容が不要である理由を示す情報を読み出し、削除された支援内容が不要である理由を示す情報を表示部１４に表示してもよい。
【００９８】
また、データ変更部１５３は、ケアプランを中止又は変更した際に、中止又は変更したケアプランと、ケアプランデータベースに記憶されている過去のケアプランとを比較してもよい。データ変更部１５３は、過去のケアプランから変更した部分の根拠を提示してもよい。すなわち、中止又は変更したケアプランに新たな支援内容が追加されている場合、データ変更部１５３は、支援必要性データベースに記憶されている新たな支援内容が必要である理由を示す情報を読み出し、新たな支援内容が必要である理由を示す情報を表示部１４に表示してもよい。また、中止又は変更したケアプランから過去の支援内容が削除されている場合、データ変更部１５３は、支援必要性データベースに記憶されている削除された支援内容が不要である理由を示す情報を読み出し、削除された支援内容が不要である理由を示す情報を表示部１４に表示してもよい。
【００９９】
このように、支援内容が追加された理由又は支援内容が削除された理由が提示されることにより、要介護者、要支援者又はその家族などの納得が得やすくなる。
【０１００】
また、ケアプラン変更判断部１５４は、モニタリング対象であるアセスメント項目が所定期間経過後に改善していた場合、ケアプランに応じたサービスを中止してもよい。所定期間は、例えば、３か月である。また、ケアプラン変更判断部１５４は、モニタリング対象であるアセスメント項目が所定期間経過後に悪化していた場合、ケアプランに応じたサービスを変更してもよい。このように、ケアプランに応じたサービスを中止するか否かの判断基準が設定されてもよい。
【０１０１】
なお、ケアマネジメント支援装置１は、サーバであってもよい。ケアマネジメント支援装置１がサーバである場合、ケアマネジメント支援装置１は、入力部１１及び表示部１４を備えなくてもよく、ケアマネジメント支援装置１とネットワークを介して通信可能に接続されたユーザ端末が、入力部１１及び表示部１４を備えてもよい。ユーザ端末は、例えば、スマートフォン、タブレット型コンピュータ又はパーソナルコンピュータであり、基本情報及びアセスメント結果情報をケアマネジメント支援装置１へ送信するとともに、第１の提示情報、第２の提示情報、第３の提示情報及び第４の提示情報をケアマネジメント支援装置１から受信してもよい。そして、ユーザ端末は、受信した第１の提示情報、第２の提示情報、第３の提示情報及び第４の提示情報からそれぞれの表示画面を生成し、生成した表示画面を表示してもよい。
【０１０２】
次に、本開示の実施の形態１に係るケアマネジメント支援装置１におけるケアマネジメント支援処理について説明する。
【０１０３】
図６は、本開示の実施の形態１に係るケアマネジメント支援装置におけるケアマネジメント支援処理について説明するためのフローチャートである。
【０１０４】
まず、ステップＳ１において、入力部１１は、要介護者又は要支援者に関する基本情報のユーザによる入力を受け付ける。入力部１１は、入力された基本情報を第１の支援内容決定部１２１へ出力する。
【０１０５】
図７は、本実施の形態１において基本情報を入力するための基本情報入力画面の一例を示す図である。表示部１４は、基本情報を入力するための基本情報入力画面１４１を表示する。
【０１０６】
図７に示す基本情報入力画面１４１は、プロフィール入力欄１４１１、疾患入力欄１４１２及び自由記述欄１４１３を含む。
【０１０７】
プロフィール入力欄１４１１は、要介護者又は要支援者の氏名、性別、年齢、生年月日、居住地区、同居形態、介護度、認知機能の低下の有無、及びサービス利用経験の有無の入力を受け付ける。なお、同居形態は、要介護者又は要支援者が独居であるか、又は家族と同居しているかを示す。介護度は、要介護認定又は要支援認定で判定される介護の必要性の程度を示す。プロフィール入力欄１４１１の各項目の入力方法としては、直接入力、プルダウンメニューによる入力、又はチェックボックスによる入力がある。
【０１０８】
疾患入力欄１４１２は、要介護者が要介護となった原因疾患又は要支援者が要支援となった原因疾患の入力を受け付ける。疾患入力欄１４１２の入力方法としては、チェックボックスによる入力がある。ユーザは、例えば、脳血管疾患、大腿骨頸部骨折、心不全及び腎不全等の複数の疾患の中から、原因疾患に該当する疾患を選択する。
【０１０９】
自由記述欄１４１３は、特記事項などの入力を受け付ける。自由記述欄１４１３の入力方法としては、直接入力がある。
【０１１０】
なお、ユーザにより入力される要介護者又は要支援者に関する基本情報は、上記に限定されない。
【０１１１】
図６に戻って、次に、ステップＳ２において、第１の支援内容決定部１２１は、基本グループデータベース１３１を参照し、要介護者又は要支援者に関する基本情報に基づき、要介護者又は要支援者が属するグループを複数のグループの中から決定する。
【０１１２】
次に、ステップＳ３において、第１の支援内容決定部１２１は、支援内容データベース１３２を参照し、複数の支援内容から、決定したグループに対応する重要度が高い複数の第１の支援内容を決定する。第１の支援内容表示制御部１２２は、複数の第１の支援内容と複数の第１の支援内容のそれぞれに対応付けられるアセスメント項目とをユーザに提示するための第１の提示情報を表示部１４へ出力する。
【０１１３】
次に、ステップＳ４において、表示部１４は、第１の支援内容決定部１２１によって決定された複数の第１の支援内容を表示する。
【０１１４】
図８は、本実施の形態１において複数の第１の支援内容を表示するための第１の支援内容表示画面の一例を示す図である。表示部１４は、複数の第１の支援内容をユーザに提示するための第１の支援内容表示画面１４２を表示する。
【０１１５】
図８に示す第１の支援内容表示画面１４２は、基本支援内容を提示するための基本支援内容表示領域１４２１と、疾患別支援内容を提示するための疾患別支援内容表示領域１４２２とを含む。
【０１１６】
基本支援内容表示領域１４２１及び疾患別支援内容表示領域１４２２において、長期方針は、目指すべき方針を示し、短期方針は、支援内容項目を示している。また、各支援内容項目には、各支援内容の必要性を示す情報及び各支援内容の具体的な実施方法を示す情報などが対応付けて表示される。
【０１１７】
図６に戻って、次に、ステップＳ５において、表示部１４は、第１の支援内容決定部１２１によって決定された複数の第１の支援内容のそれぞれに対応付けられるアセスメント項目を表示する。
【０１１８】
次に、ステップＳ６において、入力部１１は、表示部１４に表示されたアセスメント項目に対するアセスメント結果のユーザによる入力を受け付ける。
【０１１９】
図９は、本実施の形態１においてアセスメント項目を表示するとともに、アセスメント項目に対するアセスメント結果の入力を受け付けるためのアセスメント項目表示画面の一例を示す図である。表示部１４は、複数の第１の支援内容のそれぞれに対応付けられるアセスメント項目をユーザに提示するとともに、アセスメント項目に対するアセスメント結果の入力を受け付けるためのアセスメント項目表示画面１４３を表示する。
【０１２０】
アセスメント項目表示画面１４３は、支援内容を表示する支援内容表示領域１４３１と、アセスメント項目を表示するアセスメント項目表示領域１４３２と、アセスメント項目に対する要介護者又は要支援者の現在の状態（状況）の入力を受け付けるための第１のアセスメント結果入力領域１４３３と、アセスメント項目に対する要介護者又は要支援者の将来の状態（状況）の入力を受け付けるための第２のアセスメント結果入力領域１４３４とを含む。第１のアセスメント結果入力領域１４３３及び第２のアセスメント結果入力領域１４３４の入力方法としては、チェックボックスによる入力がある。
【０１２１】
ユーザは、アセスメント項目に対する要介護者又は要支援者の現在の状態（状況）を第１のアセスメント結果入力領域１４３３に入力する。また、ユーザは、アセスメント項目に対する要介護者又は要支援者の将来の状態（状況）を第２のアセスメント結果入力領域１４３４に入力する。
【０１２２】
図６に戻って、次に、ステップＳ７において、第２の支援内容決定部１２３は、点数データベース１３３を参照し、複数の第１の支援内容毎にアセスメント結果の点数を合計し、複数の第１の支援内容毎のアセスメント結果の合計点数を算出する。
【０１２３】
次に、ステップＳ８において、第２の支援内容決定部１２３は、複数の第１の支援内容の中から、合計点数が高い順に所定数の第２の支援内容を決定する。第２の支援内容表示制御部１２４は、第２の支援内容決定部１２３によって決定された第２の支援内容をユーザに提示するための第２の提示情報を表示部１４へ出力する。なお、第２の支援内容決定部１２３は、複数の第１の支援内容の中から１以上の第１の支援内容を１以上の第２の支援内容として決定する。
【０１２４】
次に、ステップＳ９において、表示部１４は、第２の支援内容決定部１２３によって決定された第２の支援内容を表示する。
【０１２５】
図１０は、本実施の形態１において第２の支援内容を表示するための第２の支援内容表示画面の一例を示す図である。表示部１４は、第２の支援内容をユーザに提示するための第２の支援内容表示画面１４４を表示する。
【０１２６】
第２の支援内容表示画面１４４には、アセスメント結果の合計点数が高い順に所定数の第２の支援内容が表示される。
【０１２７】
図１０に示す第２の支援内容表示画面１４４は、第２の支援内容を提示するための第２の支援内容表示領域１４４１，１４４２，１４４３を含む。
【０１２８】
第２の支援内容表示領域１４４１，１４４２，１４４３には、各アセスメント項目に対する確認結果を示すアセスメント結果と、支援の必要性及びポイントなどを示す概要、及び関連するサービス内容を示すサービス候補とが表示される。
【０１２９】
なお、第２の支援内容は、専門職が情報収集すべき項目を含んでもよい。専門職とは、例えば、かかりつけ医、歯科医師、看護士、歯科衛生士、管理栄養士及び介護職などである。例えば、要介護者又は要支援者が脳血管疾患の既往歴があり、自身で血圧管理が困難である場合、第２の支援内容は、看護士が血圧をモニタリングする項目を含んでもよい。
【０１３０】
また、メモリ１３は、支援内容、アセスメント項目及び関連する専門職を対応付けて記憶する専門職データベースをさらに備えてもよい。第２の支援内容表示制御部１２４は、アセスメント項目及び第２の支援内容に対応付けられる専門職の担当者を、第２の支援内容とともに提示してもよい。専門職の担当者は、専門職毎に予め対応付けられている。また、入力部１１は、専門職の担当者によるアセスメント項目又は第２の支援内容の編集を受け付けてもよい。第２の支援内容表示制御部１２４は、専門職の担当者によって編集されたアセスメント項目又は第２の支援内容を表示部１４に表示してもよい。また、入力部１１は、専門職の担当者によるアセスメント項目又は第２の支援内容の優先度の編集を受け付けてもよい。
【０１３１】
また、ケアマネジメント支援装置１は、サービス担当者会議又は地域ケア会議のような専門職を含めた支援の方針を決定する会議において決定された専門職の担当者にアセスメント項目又は第２の支援内容を通知する通知部を備えてもよい。専門職の担当者は、通知されたアセスメント項目又は第２の支援内容を編集してもよい。通知部は、専門職の担当者によって編集されたアセスメント項目又は第２の支援内容を受信してもよい。第２の支援内容表示制御部１２４は、専門職の担当者によって編集されたアセスメント項目又は第２の支援内容を表示部１４に表示してもよい。
【０１３２】
また、入力部１１は、ケアプラン作成部１２５によって作成されたケアプランに対する専門職の担当者による編集を受け付けてもよい。表示部１４は、専門職の担当者によって編集されたケアプランを表示してもよい。
【０１３３】
さらに、ケアプラン作成部１２５は、モニタリング対象となるアセスメント項目毎に継続的にモニタリングする専門職を決定してもよい。
【０１３４】
また、入力部１１は、サービス担当者会議又は地域ケア会議により決定されたモニタリング対象となるアセスメント項目のユーザによる入力を受け付けてもよい。入力されたモニタリング対象となるアセスメント項目は、メモリ１３に記憶されてもよい。
【０１３５】
また、第２の支援内容表示制御部１２４は、第２の提示情報を表示部１４へ出力した後、ユーザによるアセスメントを評価した評価結果をユーザに提示するための提示情報を表示部１４へ出力してもよい。
【０１３６】
図１１は、本実施の形態１においてユーザによるアセスメントを評価したアセスメント評価画面の一例を示す図である。表示部１４は、第２の支援内容表示画面１４４を表示した後、アセスメント評価画面１４５を表示する。
【０１３７】
アセスメント評価画面１４５は、評価点数を提示するための評価点数表示領域１４５１、ユーザへの総合的なアドバイスを提示するためのアドバイス表示領域１４５２、アセスメントが不十分な重要な支援内容を提示するための第１の支援内容表示領域１４５３及びより詳しく確認すべき支援内容を提示するための第２の支援内容表示領域１４５４を含む。
【０１３８】
評価点数表示領域１４５１には、全ての第２の支援内容のアセスメント項目の総数が目標点数として表示され、全ての第２の支援内容のアセスメント項目のうち、アセスメントすることができたアセスメント項目の数が評価点数として表示される。アセスメント項目に対して、「情報がない／評価できない」という回答が選択された場合、アセスメントすることができなかったと判断され、「情報がない／評価できない」以外の回答が選択された場合、アセスメントすることができたと判断される。
【０１３９】
第１の支援内容表示領域１４５３には、アセスメントすることができなかったアセスメント項目を含む第２の支援内容と、確実にアセスメントするためのアドバイス又はポイントとが表示される。
【０１４０】
第２の支援内容表示領域１４５４には、より詳しく確認すべき他の支援内容と、他の支援内容を確認する際のアドバイスと、より詳しく確認する視点又は注意点とが表示される。なお、他の支援内容は、第２の支援内容に選ばれなかった複数の第１の支援内容又は全ての支援内容の中から抽出されてもよい。また、支援内容に対してより詳しく確認すべき他の支援内容が予め対応付けられており、第２の支援内容に対応付けられている他の支援内容が選択されてもよい。
【０１４１】
図６に戻って、次に、ステップＳ１０において、ケアプラン作成部１２５は、第２の支援内容決定部１２３によって決定された第２の支援内容に基づいて、要介護者又は要支援者のケアプランを自動的に作成する。例えば、第２の支援内容表示画面１４４は、ケアプランの作成を指示するためのケアプラン作成ボタンを含んでもよい。ユーザによりケアプラン作成ボタンが押下された場合、ケアプラン作成部１２５は、ケアプランを自動的に作成してもよい。ケアプラン作成部１２５は、作成したケアプランを表示部１４へ出力する。
【０１４２】
次に、ステップＳ１１において、表示部１４は、ケアプラン作成部１２５によって作成されたケアプランを表示する。
【０１４３】
以上のように、本実施の形態１によれば、まず、要介護者又は要支援者に関する基本情報に基づき、複数の支援内容から要介護者又は要支援者に応じた複数の第１の支援内容が決定される。続いて、複数の第１の支援内容のそれぞれに対応付けられるアセスメント項目に対してユーザにより入力されたアセスメント結果に基づき、複数の第１の支援内容の中から第２の支援内容が決定される。
【０１４４】
したがって、要介護者又は要支援者に関する基本情報に基づく支援内容のスクリーニングと、アセスメント項目に対してユーザにより入力されたアセスメント結果に基づく支援内容のスクリーニングとの２段階のスクリーニングが行われるので、要介護者又は要支援者により適した支援内容を選出して提示することができる。
【０１４５】
続いて、本開示の実施の形態１に係るケアマネジメント支援装置１におけるモニタリング処理について説明する。
【０１４６】
図１２は、本開示の実施の形態１に係るケアマネジメント支援装置におけるモニタリング処理について説明するためのフローチャートである。なお、図１２に示すモニタリング処理は、例えば１日に１回など定期的に実施されてもよく、ユーザによる開始指示を受け付けることにより実施されてもよい。
【０１４７】
まず、ステップＳ２１において、支援内容評価部１５１は、ケアプランに応じたサービスの実施開始から所定期間が経過したか否かを判断する。なお、メモリ１３は、ケアプランに応じたサービスの実施を開始した日付を示す情報を、ケアプランに対応付けて記憶する。所定期間は、例えば、１週間である。
【０１４８】
ここで、ケアプランに応じたサービスの実施開始から所定期間が経過していないと判断された場合（ステップＳ２１でＮＯ）、モニタリング処理が終了する。
【０１４９】
一方、ケアプランに応じたサービスの実施開始から所定期間が経過したと判断された場合（ステップＳ２１でＹＥＳ）、ステップＳ２２において、表示部１４は、ケアプランを作成する際に用いられた第２の支援内容と、第２の支援内容に対応付けられるアセスメント項目とを表示する。このとき、支援内容評価部１５１は、第２の支援内容と第２の支援内容に対応付けられるアセスメント項目とをユーザに提示するための第３の提示情報を表示部１４へ出力する。
【０１５０】
次に、ステップＳ２３において、入力部１１は、表示部１４に表示された第２の支援内容に対応付けられるアセスメント項目に対するアセスメント結果のユーザによる入力を受け付ける。表示部１４は、第２の支援内容に対応付けられるアセスメント項目をユーザに提示するとともに、アセスメント項目に対するアセスメント結果の入力を受け付けるためのアセスメント項目表示画面を表示する。アセスメント項目表示画面は、図９に示すアセスメント項目表示画面１４３と同じである。
【０１５１】
次に、ステップＳ２４において、支援内容評価部１５１は、点数データベース１３３を参照し、第２の支援内容毎にアセスメント結果の点数を合計し、第２の支援内容毎のアセスメント結果の合計点数を算出する。評価結果表示制御部１５２は、第２の支援内容の評価結果をユーザに提示するための第４の提示情報を表示部１４へ出力する。ここで、第２の支援内容の評価結果は、第２の支援内容のアセスメント結果の合計点数である。
【０１５２】
次に、ステップＳ２５において、表示部１４は、第２の支援内容の評価結果を表示する。
【０１５３】
次に、ステップＳ２６において、データ変更部１５３は、評価結果に基づき、ケアプランを作成する際に用いられた第２の支援内容を提示する順番を変更する。データ変更部１５３は、提示する順番を変更した第２の支援内容をユーザに提示するための提示情報を表示部１４へ出力する。
【０１５４】
次に、ステップＳ２７において、表示部１４は、提示する順番を変更した第２の支援内容を表示する。
【０１５５】
次に、ステップＳ２８において、ケアプラン変更判断部１５４は、評価結果及びケアプランに基づき、ケアプランを変更するか否かを判断する。ここで、ケアプランを変更しないと判断された場合（ステップＳ２８でＮＯ）、モニタリング処理が終了する。
【０１５６】
一方、ケアプランを変更すると判断された場合（ステップＳ２８でＹＥＳ）、ステップＳ２９において、ケアプラン作成部１２５は、データ変更部１５３によって変更された第２の支援内容に基づいて、要介護者又は要支援者のケアプランを自動的に作成する。ケアプラン作成部１２５は、作成したケアプランを表示部１４へ出力する。
【０１５７】
次に、ステップＳ３０において、表示部１４は、ケアプラン作成部１２５によって作成されたケアプランを表示する。
【０１５８】
なお、ケアプラン作成部１２５は、第２の支援内容からケアプランを作成する際、ケアプラン対象者の住居形態又は収入などその他の個人特有の情報の入力を受け付けてもよい。これにより、ケアプラン対象者に個別化されたケアプランを作成することができる。
【０１５９】
また、ケアプラン作成部１２５は、ケアプラン対象者の住んでいる地域の資源に関する情報（例えば、デイサービスなどの施設が近所にあるか否かを示す情報、又は宅配弁当などのサービスが提供可能であるか否かを示す情報など）を提示してもよい。例えば、ケアプラン作成部１２５は、支援内容に応じた、特定地域の介護事業所、当該介護事業所の評価／特徴、及び介護保険対象外の地域サービスを提示してもよい。これにより、地域資源に応じたケアプランを作成することができる。また、介護保険対象外の地域サービスも認知させることができるので、介護保険を使わない場合にもケアマネジメント支援装置１を活用することができる。
【０１６０】
以上のように、本実施の形態１によれば、第２の支援内容に基づき生成されたケアプランに基づくサービスが要介護者又は要支援者に実施された後、第２の支援内容と第２の支援内容に対応付けられるアセスメント項目とがユーザに提示され、アセスメント項目に対してユーザにより入力されたアセスメント結果に基づき、第２の支援内容が評価される。
【０１６１】
したがって、第２の支援内容に対応付けられるアセスメント項目に対してユーザにより入力されたアセスメント結果に基づき、第２の支援内容が評価されるので、ユーザは、第２の支援内容の評価結果を確認することにより、第２の支援内容に基づき生成されたケアプランをモニタリングすることができる。
【０１６２】
（実施の形態２）
実施の形態１では、モニタリング処理において、第２の支援内容と第２の支援内容に対応付けられるアセスメント項目とがユーザに提示されるが、実施の形態２では、モニタリング処理において、センサ情報を取得し、センサ情報を分析し、センサ情報の分析結果を、第２の支援内容と第２の支援内容に対応付けられるアセスメント項目とともに、ユーザに提示する。
【０１６３】
図１３は、本開示の実施の形態２におけるケアマネジメント支援装置の構成を示すブロック図である。ケアマネジメント支援装置１Ａは、例えば、パーソナルコンピュータ又はタブレット型コンピュータである。ケアマネジメント支援装置１Ａは、入力部１１、プロセッサ１２Ａ、メモリ１３、表示部１４及びセンサ情報取得部１５を備える。なお、本実施の形態２において、実施の形態１と同じ構成については同じ符号を付し、説明を省略する。
【０１６４】
センサ２は、ネットワークを介してケアマネジメント支援装置１Ａと互いに通信可能に接続されている。センサ２は、例えば、要介護者又は要支援者のトイレの入室回数を計測するセンサ、要介護者又は要支援者の体水分率を計測するセンサ、要介護者又は要支援者の体動量、呼吸数及び心拍数等の生体情報を計測するセンサ、及び要介護者又は要支援者が飲む水の残量を計測するセンサを含む。センサ２は、センサ情報をケアマネジメント支援装置１Ａへ送信する。センサ情報は、例えば、要介護者又は要支援者のトイレの入室回数、要介護者又は要支援者の体水分率、要介護者又は要支援者の体動量、呼吸数及び心拍数等の生体情報、及び要介護者又は要支援者が飲む水の残量である。
【０１６５】
センサ情報取得部１５は、センサ２からセンサ情報を取得する。センサ情報取得部１５は、通信機能を有しており、センサ２からセンサ情報を受信する。
【０１６６】
プロセッサ１２は、第１の支援内容決定部１２１、第１の支援内容表示制御部１２２、第２の支援内容決定部１２３、第２の支援内容表示制御部１２４、ケアプラン作成部１２５及びモニタリング処理部１２６Ａを備える。
【０１６７】
モニタリング処理部１２６Ａは、支援内容評価部１５１Ａ、評価結果表示制御部１５２、データ変更部１５３、ケアプラン変更判断部１５４及びセンサ情報分析部１５５を備える。
【０１６８】
センサ情報分析部１５５は、センサ情報取得部１５によって取得されたセンサ情報を分析する。
【０１６９】
センサ情報が、要介護者又は要支援者のトイレの入室回数である場合、センサ情報分析部１５５は、センサ情報に基づいて、要介護者又は要支援者の１日の排泄回数、及び要介護者又は要支援者の１日の予測排泄量を分析する。
【０１７０】
センサ情報が、要介護者又は要支援者の体水分率である場合、センサ情報分析部１５５は、センサ情報に基づいて、要介護者又は要支援者の体水分率が適正範囲内にあるか否かを分析する。
【０１７１】
センサ情報が、要介護者又は要支援者の体動量、呼吸数及び心拍数等の生体情報である場合、センサ情報分析部１５５は、センサ情報に基づいて、要介護者又は要支援者の睡眠時間及び睡眠状態を分析する。
【０１７２】
センサ情報が、要介護者又は要支援者が飲む水の残量である場合、センサ情報分析部１５５は、センサ情報に基づいて、要介護者又は要支援者の１日の水分摂取量を分析する。
【０１７３】
支援内容評価部１５１Ａは、センサ情報分析部１５５によるセンサ情報の分析結果を、第２の支援内容と第２の支援内容に対応付けられるアセスメント項目とともに、ユーザに提示するための第３の提示情報を出力する。支援内容評価部１５１Ａは、第３の提示情報を表示部１４へ出力する。
【０１７４】
表示部１４は、支援内容評価部１５１Ａから第３の提示情報が入力されると、センサ情報の分析結果と第２の支援内容と第２の支援内容に対応付けられるアセスメント項目とを表示する。入力部１１は、表示部１４に表示された第２の支援内容に対応付けられるアセスメント項目に対するユーザによる入力を受け付ける。このとき、ユーザは、表示部１４に表示されるセンサ情報の分析結果を確認することによって、より正確にアセスメント項目に対する回答を入力することができる。
【０１７５】
なお、センサ情報から自動的にシステムがアセスメント項目を入力してもよい。
【０１７６】
また、本実施の形態２では、アセスメント項目ごとにセンサ情報を確認し、回答を入力する例について説明しているが、その他支援内容ごと又はケアプランの記載項目ごとなどにセンサ情報を確認し、回答を入力してもよい。
【０１７７】
また、本実施の形態２では、実施の形態１におけるアセスメント項目についてモニタリングするとしているが、アセスメント項目とは異なるモニタリング項目を別途定義してもよい。
【０１７８】
また、ケアマネジメント支援装置は、生命維持にかかわるような重要なアセスメント項目／モニタリング項目に関してセンサ情報から異常と判断した場合、当該判断結果をユーザに通知してもよい。
【０１７９】
また、支援内容評価部１５１Ａは、アセスメント項目に対してユーザにより入力されたアセスメント結果に基づき、第２の支援内容を評価する。支援内容評価部１５１Ａは、アセスメント結果を数値化し、数値に基づき、第２の支援内容を評価する。すなわち、支援内容評価部１５１Ａは、点数データベース１３３を参照し、第２の支援内容のアセスメント結果の点数を合計し、第２の支援内容の合計点数を評価結果として算出する。
【０１８０】
なお、本実施の形態２に係るケアマネジメント支援装置１Ａにおけるケアマネジメント支援処理は、実施の形態１と同じであるので説明を省略する。
【０１８１】
続いて、本開示の実施の形態２に係るケアマネジメント支援装置１Ａにおけるモニタリング処理について説明する。
【０１８２】
図１４は、本開示の実施の形態２に係るケアマネジメント支援装置におけるモニタリング処理について説明するためのフローチャートである。なお、図１４に示すモニタリング処理は、例えば１日に１回など定期的に実施されてもよく、ユーザによる開始指示を受け付けることにより実施されてもよい。
【０１８３】
まず、ステップＳ４１において、支援内容評価部１５１Ａは、ケアプランに応じたサービスの実施開始から所定期間が経過したか否かを判断する。なお、メモリ１３は、ケアプランに応じたサービスの実施を開始した日付を示す情報を、ケアプランに対応付けて記憶する。所定期間は、例えば、１週間である。
【０１８４】
ここで、ケアプランに応じたサービスの実施開始から所定期間が経過していないと判断された場合（ステップＳ４１でＮＯ）、モニタリング処理が終了する。
【０１８５】
一方、ケアプランに応じたサービスの実施開始から所定期間が経過したと判断された場合（ステップＳ４１でＹＥＳ）、ステップＳ４２において、センサ情報取得部１５は、センサ２からセンサ情報を取得する。センサ情報取得部１５は、センサ２に蓄積されていた所定の期間（例えば、１週間）のセンサ情報を取得する。
【０１８６】
なお、センサ情報取得部１５は、センサ２から定期的（例えば、１分毎）にセンサ情報を取得してもよい。この場合、センサ情報取得部１５は、定期的に取得するセンサ情報をメモリ１３に蓄積する。そして、ケアプランに応じたサービスの実施開始から所定期間が経過したと判断された場合、センサ情報取得部１５は、メモリ１３に蓄積されているセンサ情報を取得してもよい。
【０１８７】
次に、ステップＳ４３において、センサ情報分析部１５５は、センサ情報取得部１５によって取得されたセンサ情報を分析する。
【０１８８】
次に、ステップＳ４４において、表示部１４は、センサ情報の分析結果と、ケアプランを作成する際に用いられた第２の支援内容と、第２の支援内容に対応付けられるアセスメント項目とを表示する。このとき、支援内容評価部１５１Ａは、センサ情報の分析結果と第２の支援内容と第２の支援内容に対応付けられるアセスメント項目とをユーザに提示するための第３の提示情報を表示部１４へ出力する。
【０１８９】
次に、ステップＳ４５において、入力部１１は、表示部１４に表示された第２の支援内容に対応付けられるアセスメント項目に対するアセスメント結果のユーザによる入力を受け付ける。表示部１４は、センサ情報の分析結果と、第２の支援内容に対応付けられるアセスメント項目とをユーザに提示するとともに、アセスメント項目に対するアセスメント結果の入力を受け付けるためのアセスメント項目表示画面を表示する。
【０１９０】
ステップＳ４６〜ステップＳ５２の処理は、図１２のステップＳ２４〜ステップＳ３０の処理と同じであるので、説明を省略する。
【０１９１】
以上のように、本実施の形態２において、取得されたセンサ情報の分析結果が、第２の支援内容と第２の支援内容に対応付けられるアセスメント項目とともに、ユーザに提示されるので、ユーザは、センサ情報の分析結果を確認することによって、より正確にアセスメント項目に対する回答を入力することができる。
【０１９２】
なお、本実施の形態２において、プロセッサ１２Ａは、基本情報及びアセスメント結果の少なくとも一方に基づき、センサ情報を取得するためのセンサ２に関する情報をユーザに提示するための第５の提示情報を出力するセンサ表示制御部をさらに備えてもよい。センサ表示制御部は、第５の提示情報を表示部１４へ出力する。表示部１４は、センサ表示制御部から第５の提示情報が入力されると、センサ２に関する情報を表示する。
【０１９３】
例えば、要介護者又は要支援者が独居であり、かつ認知機能の低下がある場合、表示部１４は、トイレ内の見えない位置に配置されるセンサ２をユーザに提示し、当該センサ２の購入をユーザに促してもよい。また、例えば、要介護者又は要支援者が家族と同居しており、かつ認知機能の低下がない場合、表示部１４は、トイレ内の見える位置に配置されるとともに、個人認証が必要なセンサ２をユーザに提示し、当該センサ２の購入をユーザに促してもよい。また、疾患情報が脳血管疾患を含む場合、表示部１４は、より高い精度の生体情報を計測することが可能なセンサ２をユーザに提示し、当該センサ２の購入をユーザに促してもよい。
【０１９４】
なお、上記各実施の形態において、ユーザはケアマネジャーとして説明しているが、ユーザは介護関連者以外の一般ユーザでもよい。例えば、ユーザは、ケア対象者となる高齢者本人又はケア対象者の家族などでもよい。これにより、セルフケアプランの作成なども可能となる。また、ケアマネジャー以外の医療又は介護関連職種の者、例えば、訪問介護事業者又は医療従事者（医者、看護師又は薬剤師など）がユーザでもよい。
【０１９５】
また、本実施の形態に係るシステムを活用することにより、都道府県及び地方自治体の行政関連者、又は介護支援専門員協会などが、ケアマネジャーの教育目的で、ケアマネジャーがどのようなケアマネジメントを実施しているかを確認することができる。
【０１９６】
また、本実施の形態に係るシステムは、本実施の形態に係るシステムで収集される、要介護者の情報、アセスメント項目、センサ情報、及びケアプランなどの情報を分析することにより、例えば、センサ情報だけで、ケアプランを自動作成したり、アセスメント／モニタリングなどを自動化したりしてもよい。
【０１９７】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１９８】
本開示の実施の形態に係る装置の機能の一部又は全ては典型的には集積回路であるＬＳＩ（Ｌａｒｇｅ  Ｓｃａｌｅ  Ｉｎｔｅｇｒａｔｉｏｎ）として実現される。これらは個別に１チップ化されてもよいし、一部又は全てを含むように１チップ化されてもよい。また、集積回路化はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【０１９９】
また、本開示の実施の形態に係る装置の機能の一部又は全てを、ＣＰＵ等のプロセッサがプログラムを実行することにより実現してもよい。
【０２００】
また、上記で用いた数字は、全て本開示を具体的に説明するために例示するものであり、本開示は例示された数字に制限されない。
【０２０１】
また、上記フローチャートに示す各ステップが実行される順序は、本開示を具体的に説明するために例示するためのものであり、同様の効果が得られる範囲で上記以外の順序であってもよい。また、上記ステップの一部が、他のステップと同時（並列）に実行されてもよい。
【産業上の利用可能性】
【０２０２】
本開示に係る情報処理方法、情報処理装置及び情報処理プログラムは、要介護者又は要支援者により適した支援内容を選出して提示することができるので、要介護者又は要支援者の支援内容をユーザに提示するための提示情報を出力する情報処理方法、情報処理装置及び情報処理プログラムとして有用である。
【０２０３】
さらに、本開示の技術では、より適した支援内容を提示できるようになることで、介護支援専門員はもちろん、必ずしも専門知識を有していない家族などが支援を行うことも可能となり、在宅での自立支援を実現できる。
【符号の説明】
【０２０４】
１，１Ａ    ケアマネジメント支援装置
２    センサ
１１    入力部
１２，１２Ａ    プロセッサ
１３    メモリ
１４    表示部
１５    センサ情報取得部
１２１    第１の支援内容決定部
１２２    第１の支援内容表示制御部
１２３    第２の支援内容決定部
１２４    第２の支援内容表示制御部
１２５    ケアプラン作成部
１２６，１２６Ａ    モニタリング処理部
１３１    基本グループデータベース
１３２    支援内容データベース
１３３    点数データベース
１５１，１５１Ａ    支援内容評価部
１５２    評価結果表示制御部
１５３    データ変更部
１５４    ケアプラン変更判断部
１５５    センサ情報分析部
【図１】
2020177627.tif 000003
【図２】
2020177627.tif 000004
【図３】
2020177627.tif 000005
【図４】
2020177627.tif 000006
【図５】
2020177627.tif 000007
【図６】
2020177627.tif 000008
【図７】
2020177627.tif 000009
【図８】
2020177627.tif 000010
【図９】
2020177627.tif 000011
【図１０】
2020177627.tif 000012
【図１１】
2020177627.tif 000013
【図１２】
2020177627.tif 000014
【図１３】
2020177627.tif 000015
【図１４】
2020177627.tif 000016